(57)【要約】【課題】搬送波の伝送路が切断され難く安定した通信を実現することが可能な通信方法、通信システム、送信装置及び受信装置を提供する。【解決手段】送信装置１は、符号化手段１１により、送信データを冗長化して欠損の補償を可能とした欠損補償データを生成し、生成した一の欠損補償データを、異なる二の欠損補償データに分割して夫々異なる送信手段１３，１３に割り当て、各送信手段１３，１３は、割り当てられた夫々異なる欠損補償データを、夫々周波数が異なる搬送波に重畳させて受信装置２へ送信する。受信装置２は、受信手段２１，２１にて夫々の搬送波に重畳された二の欠損補償データを受信し、受信した欠損補償データを収集手段２２にて収集し、収集した欠損補償データに対し、復号手段２３の復号処理にて送信データを復元する。【選択図】図２
2007306140.tif 000002
【特許請求の範囲】
【請求項１】
送信装置から受信装置へデータを送信する通信方法において、
送信すべき送信データを冗長化して欠損の補償を可能とした欠損補償データを生成し、
周波数が異なる複数の搬送波に、夫々異なる欠損補償データを割り当てて、前記送信装置から前記受信装置へ送信し、
該受信装置は、
受信した複数の欠損補償データに基づいて送信データを復元する
ことを特徴とする通信方法。
【請求項２】
データを送信する送信装置、及び該送信装置から送信されたデータを受信する受信装置を備える通信システムにおいて、
前記送信装置は、
送信すべき送信データを冗長化して欠損の補償を可能とした欠損補償データを生成する符号化手段と、
欠損補償データを夫々周波数が異なる搬送波に重畳させて前記受信装置へ送信する複数の送信手段と、
該複数の送信手段に対して異なる欠損補償データを割り当てる割当手段と
を備え、
該受信装置は、
受信した複数の欠損補償データに基づいて送信データを復元する復号手段を備える
ことを特徴とする通信システム。
【請求項３】
前記符号化手段は、一の送信データから一の欠損補償データを生成する様に構成してあり、
前記割当手段は、一の欠損補償データを分割して複数の送信手段に割り当てる様に構成してある
ことを特徴とする請求項２に記載の通信システム。
【請求項４】
前記符号化手段は、一の送信データから夫々異なる複数の欠損補償データを生成する様に構成してあり、
前記割当手段は、生成した複数の欠損補償データを複数の送信手段に割り当てる様に構成してある
ことを特徴とする請求項２に記載の通信システム。
【請求項５】
前記複数の送信手段は、夫々周波数が２倍以上異なる搬送波に重畳させて送信する様に構成してあることを特徴とする請求項２乃至請求項４のいずれかに記載の通信システム。
【請求項６】
前記複数の送信手段は、夫々異なる周波数帯に分類された異なる搬送波に重畳させて送信する様に構成してあることを特徴とする請求項２乃至請求項５のいずれかに記載の通信システム。
【請求項７】
前記符号化手段は、設定された符号系列に基づいて欠損補償データを生成する様に構成してあり、
前記送信手段は、前記受信装置へ前記符号系列を送信する様に構成してあり、
前記復号手段は、前記符号系列に基づいて送信データを復元する様に構成してある
ことを特徴とする請求項２乃至請求項６のいずれかに記載の通信システム。
【請求項８】
送信すべき送信データを冗長化して欠損の補償を可能とした欠損補償データを生成する手段と、
欠損補償データを夫々周波数が異なる搬送波に重畳させて前記受信装置へ送信する複数の送信手段と、
該複数の送信手段に対して異なる欠損補償データを割り当てる手段と
を備えることを特徴とする送信装置。
【請求項９】
送信データを冗長化して欠損の補償を可能とした夫々異なる欠損補償データを夫々重畳した異なる周波数の複数の搬送波を受信する手段と、
受信した複数の欠損補償データに基づいて送信データを復元する手段と
を備えることを特徴とする受信装置。
【発明の詳細な説明】
【技術分野】
【０００１】
本発明は、送信装置から受信装置へデータを送信する通信方法、該通信方法を適用した通信システム、該通信システムにて用いられる送信装置及び受信装置に関し、特に送信データの送信時の欠損を補償することが可能な通信方法、通信システム、送信装置及び受信装置に関する。
【背景技術】
【０００２】
映画、テレビジョン放送、コンサート等の様々な映像及び／又は音楽を出力させる送信データをストリーミング送信する通信システムが普及している。また音楽等の楽曲コンテンツ、更にはニュース、天気予報等の簡易画像コンテンツに係る送信データを、インターネット等の通信網を介して、セットトップボックス等の受信装置へ送信し、受信装置上でコンテンツを再生する通信システムが普及している。さらに最近の家庭内においては、ＩＥＥＥ８０２．１１ｇ等の規格に基づく無線ＬＡＮが普及してきており、家庭内の無線ＬＡＮを介してのストリーミング送信の必要性が高まっている。
【０００３】
このような通信システムでは、送信された送信データが受信側の装置に到達するまでに様々なノイズにより送信データの一部が欠損し、映像の乱れ等の悪影響を及ぼすことがある。特に送信データを無線により受信側の装置へ送信する場合には、電磁ノイズによる影響だけでなく、建造物等の障害物による影響も大きいため、有線のネットワークを介しての送信以上に欠損に対する対策が必要となる。
【０００４】
たとえばＴＣＰ等のプロトコルを用いた通信では、送信データに欠損が生じた場合に、欠損した箇所を再送する処理が行われている。このような再送処理は、ユニキャストと呼ばれる１対１の通信では有効であるが、マルチキャストによる通信、ブロードキャスト放送でのコンテンツ配信等の複数の受信側へ同時に送信する通信方法には不向きである。
【０００５】
そこで同じ送信データを繰り返し送信する連送方式（カルーセル方式）が提案されている。連送方式では、受信した送信データに欠損が生じていた場合でも、次の周期で受信した送信データにより欠損箇所を補償することが可能である。
【０００６】
また送信データを冗長化して欠損の補償を可能とした欠損補償データを送信側から受信側へ送信し、受信したデータに欠損が生じていた場合でも、受信しているデータから欠損箇所を補償することが可能なＦＥＣ符号化技術が特許文献１に記載されている。
【特許文献１】米国特許第６３２０５２０号明細書
【発明の開示】
【発明が解決しようとする課題】
【０００７】
しかしながら連送方式の場合、例えば周期的にノイズが入り、各周期で同じ箇所のデータが欠損し続けた時は、何周期もデータを待ち続けなければならないという問題がある。
【０００８】
また障害物による遮断、電磁ノイズ等の原因により、受信側の装置では、送信データを受信することができなくなり、映像に乱れが生じるという問題がある。映像の乱れの原因は、物理層に用いている搬送波の周波数帯域に障害（ノイズ）が発生し、搬送波の伝送路が切断されてしまうことにある。例えばＩＥＥＥ８０２．１１ｇに基づく２．４ＧＨｚ帯の搬送波を使用中に、２．４ＧＨｚ帯の電磁波を発生させる電子レンジが使用された場合、電子レンジから発生する電磁波がノイズとなり、搬送波の伝送路が切断される。これらの周波数は様々な法律にて規制されており、容易に周波数を変更することができない。
【０００９】
本発明は斯かる事情に鑑みてなされたものであり、送信データを冗長化した夫々異なる複数の欠損補償データを、周波数が異なる複数の搬送波に割り当てて送信側の装置から受信側の装置へ送信することにより、例えば特定の周波数のノイズが発生していたとしても、他の周波数の搬送波に重畳された欠損補償データを受信側の装置が受信することができるので、搬送波の伝送路が切断され難く安定した通信を実現することが可能な通信方法、該通信方法を適用した通信システム、該通信システムにて用いられる送信装置及び受信装置を提供する。
【課題を解決するための手段】
【００１０】
第１発明に係る通信方法は、送信装置から受信装置へデータを送信する通信方法において、送信すべき送信データを冗長化して欠損の補償を可能とした欠損補償データを生成し、周波数が異なる複数の搬送波に、夫々異なる欠損補償データを割り当てて、前記送信装置から前記受信装置へ送信し、該受信装置は、受信した複数の欠損補償データに基づいて送信データを復元することを特徴とする。
【００１１】
本発明では、周波数が異なる複数の搬送波に割り当てて複数の異なる欠損補償データを送信することにより、例えば特定の周波数のノイズが発生している環境下であっても、他の周波数に割り当てられた欠損補償データを受信装置にて受信することができ、また例えば物理的な遮蔽物が送信装置及び受信装置間に存在したとしても、回折特性の高い周波数に割り当てられた欠損補償データが遮蔽物を回り込んで受信装置に到達するので、搬送波の伝送路が切断され難く安定した通信を実現することができる。しかも同一のデータを異なる周波数にて送信する周波数ダイバーシチでは、受信したデータ量に対して、欠損を補償する処理等の有効に活用することができる情報としての量が少なくなり無駄が多く、従って同時期に全ての通信が切断された場合には同一のデータが欠損することになるため、映像の乱れ等の通信異常が生じ易い。本発明では、これとは異なり、異なる欠損補償データを異なる周波数にて送信するので、受信したデータ量に対して、有効に活用することができる情報としての量が多くなり、従って同時期に全ての通信が切断されたとしても、他の時期に受信した欠損補償データから送信データの欠損を補償することができる可能性が高く、映像の乱れ等の通信異常が生じ難い。
【００１２】
第２発明に係る通信システムは、データを送信する送信装置、及び該送信装置から送信されたデータを受信する受信装置を備える通信システムにおいて、前記送信装置は、送信すべき送信データを冗長化して欠損の補償を可能とした欠損補償データを生成する符号化手段と、欠損補償データを夫々周波数が異なる搬送波に重畳させて前記受信装置へ送信する複数の送信手段と、該複数の送信手段に対して異なる欠損補償データを割り当てる割当手段とを備え、該受信装置は、受信した複数の欠損補償データに基づいて送信データを復元する復号手段を備えることを特徴とする。
【００１３】
本発明では、周波数が異なる複数の搬送波に割り当てて複数の異なる欠損補償データを送信することにより、例えば特定の周波数のノイズが発生している環境下であっても、他の周波数に係る送信手段に割り当てられた欠損補償データを受信装置にて受信することができ、また例えば物理的な遮蔽物が送信装置及び受信装置間に存在したとしても、回折特性の高い周波数に係る送信手段に割り当てた欠損補償データが遮蔽物を回り込んで受信装置に到達するので、搬送波の伝送路が切断され難く安定した通信を実現することができる。しかも同一のデータを異なる周波数にて送信する周波数ダイバーシチでは、受信したデータ量に対して、欠損を補償する処理等の有効に活用することができる情報としての量が少なくなり無駄が多く、従って同時期に全ての通信が切断された場合には同一のデータが欠損することになるため、映像の乱れ等の通信異常が生じ易い。本発明では、これとは異なり、異なる欠損補償データを異なる周波数にて送信するので、受信したデータ量に対し
て、有効に活用することができる情報としての量が多くなり、従って同時期に全ての通信が切断されたとしても、他の時期に受信した欠損補償データから送信データの欠損を補償することができる可能性が高く、映像の乱れ等の通信異常が生じ難い。
【００１４】
第３発明に係る通信システムは、第２発明において、前記符号化手段は、一の送信データから一の欠損補償データを生成する様に構成してあり、前記割当手段は、一の欠損補償データを分割して複数の送信手段に割り当てる様に構成してあることを特徴とする。
【００１５】
生成した欠損補償データを振り分けることにより、同一の欠損補償データが欠損することを防止し、安定した通信を実現することが可能である。
【００１６】
第４発明に係る通信システムは、第２発明において、前記符号化手段は、一の送信データから夫々異なる複数の欠損補償データを生成する様に構成してあり、前記割当手段は、生成した複数の欠損補償データを複数の送信手段に割り当てる様に構成してあることを特徴とする。
【００１７】
本発明では、異なる欠損補償データを送信することにより、同一の欠損補償データが欠損することを防止し、安定した通信を実現することが可能である。
【００１８】
第５発明に係る通信システムは、第２発明乃至第４発明のいずれかにおいて、前記複数の送信手段は、夫々周波数が２倍以上異なる搬送波に重畳させて送信する様に構成してあることを特徴とする。
【００１９】
本発明では、特性が異なる搬送波に振り分けることにより、特定の障害に対する耐性が強くなり、全体として安定した通信を実現することが可能である。
【００２０】
第６発明に係る通信システムは、第２発明乃至第５発明のいずれかにおいて、前記複数の送信手段は、夫々異なる周波数帯に分類された異なる搬送波に重畳させて送信する様に構成してあることを特徴とする。
【００２１】
本発明では、極超短波、赤外線、可視光線等の種類が異なる搬送波に振り分けることにより、特定の障害に対する耐性が強くなり、全体として安定した通信を実現することが可能である。
【００２２】
第７発明に係る通信システムは、第２発明乃至第６発明のいずれかにおいて、前記符号化手段は、設定された符号系列に基づいて欠損補償データを生成する様に構成してあり、前記送信手段は、前記受信装置へ前記符号系列を送信する様に構成してあり、前記復号手段は、前記符号系列に基づいて送信データを復元する様に構成してあることを特徴とする。
【００２３】
本発明では、送信装置から受信装置へ符号系列を送信することにより、符号化に要する符号系列を固定するのではなく、符号系列を秘匿化することができるので、情報の漏洩を防止し、安全性を高めることが可能である。
【００２４】
第８発明に係る送信装置は、送信すべき送信データを冗長化して欠損の補償を可能とした欠損補償データを生成する手段と、欠損補償データを夫々周波数が異なる搬送波に重畳させて前記受信装置へ送信する複数の送信手段と、該複数の送信手段に対して異なる欠損補償データを割り当てる手段とを備えることを特徴とする。
【００２５】
本発明では、周波数が異なる複数の搬送波に割り当てて複数の異なる欠損補償データを
送信することにより、搬送波の伝送路が切断され難く安定した通信を実現することができる。しかも本発明は、同一のデータを異なる周波数にて送信する周波数ダイバーシチとは違い、異なる欠損補償データを異なる周波数にて送信するので、受信装置が受信したデータ量に対して、有効に活用することができる情報としての量が高くなり、従って同時期に全ての通信が切断されたとしても、他の時期に受信した欠損補償データから送信データの欠損を補償することができる可能性が高く、映像の乱れ等の通信異常が生じ難い。さらに受信可能な周波数帯が異なる複数の受信装置に対して欠損補償データを送信することが可能である。
【００２６】
第９発明に係る受信装置は、送信データを冗長化して欠損の補償を可能とした夫々異なる欠損補償データを夫々重畳した異なる周波数の複数の搬送波を受信する手段と、受信した複数の欠損補償データに基づいて送信データを復元する手段とを備えることを特徴とする。
【００２７】
本発明では、周波数が異なる複数の搬送波に割り当てられた複数の異なる欠損補償データを受信することにより、搬送波の伝送路が切断され難く安定した通信を実現することができる。しかも本発明は、同一のデータを異なる周波数にて送信する周波数ダイバーシチとは違い、異なる欠損補償データを異なる周波数にて送信するので、受信したデータ量に対して、有効に活用することができる情報としての量が多くなり、従って同時期に全ての通信が切断されたとしても、他の時期に受信した欠損補償データから送信データの欠損を補償することができる可能性が高く、映像の乱れ等の通信異常が生じ難い。
【発明の効果】
【００２８】
本発明に係る通信方法、通信システム、送信装置及び受信装置は、送信すべき送信データを冗長化して欠損の補償を可能とした欠損補償データを生成し、周波数が異なる複数の搬送波に、夫々異なる欠損補償データを割り当てて、前記送信装置から前記受信装置へ送信し、該受信装置は、受信した複数の欠損補償データに基づいて送信データを生成する。
【００２９】
この構成により、本発明では、周波数が異なる複数の搬送波に割り当てて複数の異なる欠損補償データを送信することにより、例えば特定の周波数のノイズが発生している環境下であっても、他の周波数に割り当てられた欠損補償データを受信装置にて受信することができ、また例えば物理的な遮蔽物が送信装置及び受信装置間に存在したとしても、回折特性の高い周波数に割り当てられた欠損補償データが遮蔽物を回り込んで受信装置に到達するので、搬送波の伝送路が切断され難く安定した通信を実現することが可能である等、優れた効果を奏する。
【００３０】
しかも同一のデータを異なる周波数にて送信する周波数ダイバーシチでは、受信したデータ量に対して、欠損を補償する処理等の有効に活用することができる情報としての量が少なくなり無駄が多く、従って同時期に全ての通信が切断された場合には同一のデータが欠損することになるため、映像の乱れ等の通信異常が生じ易い。本発明では、これとは違い、異なる欠損補償データを異なる周波数にて送信するので、受信したデータ量に対して、有効に活用することができる情報としての量が多くなり、従って同時期に全ての通信が切断されたとしても、他の時期に受信した欠損補償データから送信データの欠損を補償することができる可能性が高く、映像の乱れ等の通信異常が生じ難い等、優れた効果を奏する。
【発明を実施するための最良の形態】
【００３１】
以下、本発明をその実施の形態を示す図面に基づいて詳述する。
【００３２】
実施の形態１．
図１は、本発明の実施の形態１における通信システムの構成例を概念的に示す説明図である。図１中１は、無線通信のアクセスポイントとして用いられる本発明の送信装置であり、送信装置１から極超短波、赤外線、可視光線等の搬送波を用いて送信されたデータは、セットトップボックス等の受信装置２にて受信される。図１では、ＩＥＥＥ８０２．１１ｇに基づく２．４ＧＨｚ帯の搬送波、即ち極超短波と、赤外線とを用いてデータを送受信する形態を例示している。送信装置１は、インターネット、ＬＡＮ等の通信網１００を介して映像配信用サーバコンピュータ等の配信装置３に接続している。また受信装置２は、テレビモニタ等の表示装置４に接続している。
【００３３】
そして送信装置１は、配信装置３から配信される映像データ等の送信データを、冗長化して欠損の補償を可能とした欠損補償データを生成し、生成した欠損補償データを異なる周波数の搬送波を用いて受信装置２へ送信する。受信装置２は、受信した欠損補償データに基づいて元の映像データである送信データを生成し、生成した送信データをビデオ信号として表示装置４へ送り、表示装置４は、受け付けたビデオ信号に基づく映像を表示する。
【００３４】
なお配信装置３は、送信装置１に接続するＤＶＤ再生装置等の装置であっても良く、更にその場合には送信装置１及び配信装置３を一体の装置として構成する様にしても良い。また受信装置２及び表示装置４を一体の装置として構成する様にしても良い。更に送信データとしては、映像データに限らず、音楽データ等の様々なデータを適用することが可能である。
【００３５】
図２は、本発明の実施の形態１における通信システムの各種装置の構成例を示すブロック図である。送信装置１は、配信装置３から配信される送信データの入力を受け付けるＬＡＮポート等の入力手段１０と、入力手段１０が入力を受け付けた送信データに基づいて、データを冗長化して欠損の補償を可能とする欠損補償符号化(FEC:Forward Error Correction)を行って欠損補償データを生成する符号化手段１１と、符号化手段１１が行う欠損補償符号化に要する符号系列を符号化手段１１へ渡す符号系列出力手段１２と、符号系列出力手段１２にて生成された欠損補償データを送信する通信ポート等の複数の送信手段１３，１３とを備えている。
【００３６】
送信装置１が備える符号化手段１１は、欠損補償の対象となる送信データを一定長のブロックに分割して複数の要素データを生成し、生成した複数の要素データ同士に対し、与えられた符号系列にて規定される論理演算を実行し、論理演算の結果である冗長データを送信データと組み合わせて欠損補償データを生成する。受信装置２は、受信した送信データに欠損が生じていたとしても、欠損補償データ及び該欠損補償データに係る論理演算を規定する符号系列に基づいて、欠損箇所を補償することができるので、元の送信データを復元することができる。また符号系列を調整して、論理演算の回数を増やすことにより、欠損補償データの冗長度が高くなり全体としてのデータ長が長くなるが、欠損に対する耐性が強くなる。具体的な欠損補償符号化の方法としては、例えば米国特許第６３２０５２０号明細書に記載された方法が用いられる。
【００３７】
複数の送信手段１３，１３は、極超短波、赤外線、可視光線等の夫々異なる周波数の搬送波に欠損補償データを重畳させ、受信装置へ送信する。夫々の周波数の搬送波は、極超短波、赤外線、可視光線等の夫々異なる周波数帯に分類された種類が異なる電磁波であり、また夫々の周波数は、２倍以上異なる。このため夫々の搬送波は、直進性、回折特性、影響を受けるノイズの周波数等の特性が異なっているので、単一の障害に対して全ての搬送波が悪影響を受けることが少なく、特定の障害に対する耐性が強くなるので、全体として安定した通信を実現することができる。なお図２では、極超短波を搬送波とする送信手段１３と、赤外線を搬送波とする送信手段１３とを用いる形態を例示しているが、送信手
段１３，１３の個数は三以上であっても良く、他の周波数帯の搬送波を用いてもよい。
【００３８】
受信装置２は、送信装置１から送信される周波数の異なる複数の搬送波に夫々対応する複数の受信手段２１，２１と、各受信手段２１，２１から受信した夫々の搬送波に重畳されていた欠損補償データを収集する収集手段２２と、収集手段２２にて収集された欠損補償データを復号して送信データを復元する復号手段２３と、復号手段２３が復号した送信データに基づくビデオ信号を表示装置４へ送る出力手段２４とを備えている。なお復号手段２３には、復号に要する符号系列を記録するメモリ２３ａを有している。
【００３９】
次に各種装置の処理について説明する。図３は、本発明の実施の形態１における通信システムの送信装置１及び受信装置２の符号系列転送処理の一例を示すフローチャートである。本発明の通信システムは、送信装置１から受信装置２へ欠損補償データを送信する場合、初期処理として送信データから欠損補償データを生成するための符号系列、即ち欠損補償データを復号して送信データを復元する符号系列を送信装置１から受信装置２へ送信する符号系列転送処理を行う。送信装置１は、符号系列出力手段１２により、乱数を用いて符号系列を生成し（Ｓ１０１）、生成した符号系列を送信手段１３，１３から送信する（Ｓ１０２）。なお符号系列は、一の送信手段１３からのみ送信する様にしても良い。
【００４０】
受信装置２は、受信手段２１にて符号系列を受信し（Ｓ１０３）、受信した符号系列を復号手段２３が有するメモリ２３ａに記録する（Ｓ１０４）。この様にして実施の形態１における符号系列転送処理が行われる。
【００４１】
なお符号系列は、乱数を用いて生成するのではなく、予め記録されている符号系列を送信する様にしても良い。また予め送信装置１及び受信装置２に同じ符号系列を記録しておくことにより、符号系列転送処理を省略することも可能である。
【００４２】
図４は、本発明の実施の形態１における送信装置１及び受信装置２のデータ転送処理の一例を示すフローチャートである。本発明の通信システムは、初期処理により、符号系列を送信装置１及び受信装置２にて共有化後、送信装置１から受信装置２へ送信データに基づく欠損補償データを送信するデータ転送処理を開始する。配信装置３から送信データの入力を受け付けた送信装置１は、符号化手段１１により、符号系列出力手段１２から出力される符号系列を符号化に用いる符号系列として設定し、設定した符号系列に基づき送信データを冗長化して欠損の補償を可能とした欠損補償データを生成する（Ｓ２０１）。ステップＳ２０１では、一の送信データから一の欠損補償データが生成される。
【００４３】
そして送信装置１は、生成した一の欠損補償データを、異なる二の欠損補償データに分割して夫々異なる送信手段１３，１３に割り当て（Ｓ２０２）、各送信手段１３，１３は、割り当てられた夫々異なる二の欠損補償データを、夫々周波数が異なる搬送波に重畳させて受信装置２へ一ずつ送信する（Ｓ２０３）。即ち送信装置１は、一の送信データから一の欠損補償データを生成し、生成した一の欠損補償データを二に分割して夫々異なる周波数の搬送波を用いて送信するのである。なお欠損補償データの分割方法については適宜設定することが可能であり、例えば欠損補償データを前半部分と後半部分に分割しても良く、適宜設定される基準長毎に交互に分割しても良い。またデータ量を等しくする必要は無く、特に夫々の送信手段１３，１３の送信速度が異なる場合、送信速度に応じて分割するデータ量の比率を設定することが可能である。例えば５００％の冗長度を持たせて、欠損補償データのデータ量を、元の送信データのデータ量の６００％ととし、一方の送信手段１３から１５０％分の欠損補償データを送信し、他方の送信手段１３から４５０％分の欠損補償データを送信することが可能である。
【００４４】
受信装置２は、受信手段２１，２１にて夫々の搬送波に重畳された二の欠損補償データ
を一ずつ受信し（Ｓ２０４）、受信した欠損補償データを収集手段２２にて収集し（Ｓ２０５）、収集した欠損補償データに対し、復号手段２３にてメモリ２３ａに記録している符号系列に基づく復号処理を行って送信データを復元し（Ｓ２０６）、復元した送信データに基づくビデオ信号を出力手段２４から表示装置４へ送る。受信装置２では、送信装置１から送信された全ての欠損補償データの受信に成功していない場合でも、或る程度の欠損補償データの受信に成功している場合、送信データを復元することが可能である。この様にしてデータ転送処理が行われる。
【００４５】
実施の形態２．
実施の形態２は、実施の形態１において、一の送信データに対し異なる符号系列に基づいて複数の欠損補償データを生成する形態である。以降の説明において、実施の形態１と同様の構成要素については、実施の形態１と同様の符号を付し、その詳細な説明を省略する。実施の形態２に係る通信システムの構成例は、実施の形態１と同様であるので、実施の形態１を参照するものとし、その説明を省略する。
【００４６】
図５は、本発明の実施の形態２における通信システムの各種装置の構成例を示すブロック図である。送信装置１は、入力手段１０と、二の符号化手段１１，１１と、各符号化手段１１，１１が行う欠損補償符号化に要する符号系列を夫々記録する二の符号系列出力手段１２，１２と、二の送信手段１３，１３とを備えている。
【００４７】
受信装置２は、二の受信手段２１，２１と、夫々受信手段２１，２１に対応する二の復号手段２３，２３と、復号手段２３，２３が復号した送信データを統合する統合手段２５と、出力手段２６とを備えている。なお各復号手段２３，２３は、夫々メモリ２３ａ，２３ａを有している。
【００４８】
次に各種装置の処理について説明する。図６は、本発明の実施の形態２における通信システムの送信装置１及び受信装置２の符号系列転送処理の一例を示すフローチャートである。送信装置１は、各符号系列出力手段１２，１２により、乱数を用いて夫々異なる二の符号系列を生成し（Ｓ３０１）、生成した二の符号系列を、夫々対応する送信手段１３，１３から一ずつ送信する（Ｓ３０２）。
【００４９】
受信装置２は、各受信手段２１，２１にて、対応する送信手段１３，１３から送信された二の符号系列を夫々一ずつ受信し（Ｓ３０３）、受信した二の符号系列を夫々受信手段２１，２１に対応する復号手段２３，２３が有する夫々のメモリ２３ａ，２３ａに一ずつ記録する（Ｓ３０４）。この様にして実施の形態２における符号系列転送処理が行われる。
【００５０】
図７は、本発明の実施の形態２における通信システムの送信装置１及び受信装置２のデータ転送処理の一例を示すフローチャートである。送信装置１は、配信装置３から入力を受け付けた送信データを二の符号化手段１１，１１へ渡し、各符号化手段１１，１１は、対応する符号系列出力手段１２，１２から出力される夫々異なる二の符号系列を符号化に用いる符号系列として一ずつ設定し、設定した夫々の符号系列に基づいて、夫々異なる二の欠損補償データを生成する（Ｓ４０１）。ステップＳ４０１では、一の送信データから異なる二の欠損補償データが生成される。
【００５１】
そして送信装置１は、生成した二の欠損補償データを、対応する二の送信手段１３，１３に一ずつ割り当て（Ｓ４０２）、各送信手段１３，１３は、割り当てられた夫々異なる二の欠損補償データを、夫々周波数が異なる搬送波に重畳させて受信装置２へ一ずつ送信する（Ｓ４０３）。即ち送信装置１は、夫々異なる二の符号系列に基づいて、一の送信データから夫々異なる二の欠損補償データを生成し、生成した二の欠損補償データを夫々異
なる周波数の搬送波を用いて送信するのである。なお生成される欠損補償データの冗長度は、各符号化手段１１，１１にて適宜設定することが可能である。例えば一方の符号化手段１１では、５０％の冗長度を持たせて、欠損補償データのデータ量を、元の送信データのデータ量１５０％とし、他方の符号手段１１では、３５０％の冗長度を持たせて元の送信データのデータ量の４５０％とし、夫々の欠損補償データを送信することが可能である。
【００５２】
受信装置２は、受信手段２１，２１にて夫々の搬送波に重畳された二の欠損補償データを一ずつ受信し（Ｓ４０４）、受信した欠損補償データを、各復号手段２３，２３にてメモリ２３ａ，２３ａに記録している夫々異なる符号系列に基づく復号処理を行い、夫々送信データを復元し（Ｓ４０５）、復元した夫々の送信データを統合手段２５にて統合し（Ｓ４０６）、統合した送信データに基づくビデオ信号を出力手段２４から表示装置４へ送る。各復号手段２３，２３は、或る程度の欠損補償データの受信に成功していれば、夫々送信データを生成することが可能であるが、仮に復号手段２３，２３の両方とも送信データに欠損が生じている場合であっても、統合手段２５の統合にて相互に欠損分を補うことにより、元の送信データを生成することが可能である。この様にしてデータ転送処理が行われる。
【００５３】
前記実施の形態では、周波数が異なる複数の搬送波にて欠損補償データを送信装置から受信装置へ送信する形態を示したが、本発明は様々な形態に展開することが可能であり、例えば本発明の送信装置と従来の受信装置とを組み合わせることも可能である。具体的には、本発明の送信装置から極超短波及び赤外線にて欠損補償データを送信し、極超短波に対応した受信装置及び赤外線に対応した受信装置の双方にて欠損補償データを受信し、夫々受信装置にて送信データを生成することが可能である。即ち本発明の送信装置は、本発明の通信システムの実現だけでなく、従来の様々な種類の受信装置と通信システムを構成することが可能である。
【００５４】
また前記実施の形態では、欠損補償データを生成する符号化の方法として、米国特許第６３２０５２０号明細書に記載された方法を例示したが、本発明はこれに限らず、情報系列を一定長に分割した情報ブロックに対し、符号系列を用いて符号化し、欠損箇所を補償することが可能な欠損補償データを生成するのであれば、様々な符号化を適用することが可能である。
【図面の簡単な説明】
【００５５】
【図１】本発明の実施の形態１における通信システムの構成例を概念的に示す説明図である。
【図２】本発明の実施の形態１における通信システムの各種装置の構成例を示すブロック図である。
【図３】本発明の実施の形態１における通信システムの送信装置及び受信装置の符号系列転送処理の一例を示すフローチャートである。
【図４】本発明の実施の形態１における送信装置及び受信装置のデータ転送処理の一例を示すフローチャートである。
【図５】本発明の実施の形態２における通信システムの各種装置の構成例を示すブロック図である。
【図６】本発明の実施の形態２における通信システムの送信装置及び受信装置の符号系列転送処理の一例を示すフローチャートである。
【図７】本発明の実施の形態２における通信システムの送信装置及び受信装置のデータ転送処理の一例を示すフローチャートである。
【符号の説明】
【００５６】
１  送信装置
１０  入力手段
１１  符号化手段
１２  符号系列出力手段
１３  送信手段
２  受信装置
２１  受信手段
２２  収集手段
２３  復号手段
２４  出力手段
２５  統合手段
３  配信装置
４  表示装置
【図１】
2007306140.tif 000003
【図２】
2007306140.tif 000004
【図３】
2007306140.tif 000005
【図４】
2007306140.tif 000006
【図５】
2007306140.tif 000007
【図６】
2007306140.tif 000008
【図７】
2007306140.tif 000009